(57)【要約】【課題】光ディスクレコーダにおいて、データの書き込みに要する時間を短縮する。【解決手段】データサイズ、信号転送速度Ｒｔ及び信号書き込み速度Ｒｗからフロントエンドバッファの最適閾値Ｍ’を算出する。フロントエンドバッファへのバッファ蓄積を継続しながら、その蓄積量が最適閾値Ｍ’に達するのを待って書き込みを複数回行えば、バックエンドバッファからフロントエンドバッファへの信号の転送が終了する時間Ｔ３と、光ピックアップによる信号の書き込みが終了する時間Ｔ４を略同時とすることができ、データの書き込みに要する時間が短縮される。【選択図】図２
2005302179.tif 000002
【特許請求の範囲】
【請求項１】
テレビジョン放送信号を受信するチューナと、このチューナが受信した放送信号を圧縮符号化するエンコーダと、このエンコーダによって圧縮符号化された信号を一時的に蓄積する第１のバッファと、この第１のバッファに蓄積された信号の転送を受け、転送された信号を蓄積する第２のバッファと、光ディスクにレーザ光を照射することにより、前記第２のバッファに蓄積された信号を光ディスクに書き込む光ピックアップと、上記各部を制御する制御手段とを備えた光ディスクレコーダにおいて、
前記制御手段は、
録画時に、まず前記第１のバッファへの信号の蓄積を開始すると共に、
装填された光ディスク上で連続して信号の書き込みが可能な領域のデータサイズを検出し、
以下に示す式（１）で求めた書き込み回数の小数部分が所定の値より小さいとき、式（２）を用いて前記第２のバッファの最適蓄積閾値を算出し、
式（１）で求めた書き込み回数の小数部分が所定の値以上であるとき、式（３）を用いて前記第２のバッファの最適蓄積閾値を算出し、
前記第1のバッファに蓄積されている信号を前記第２のバッファに転送して、該第２のバッファへの信号の蓄積を開始し、
前記第２のバッファに蓄積されたバッファ量が前記最適蓄積閾値を超えたとき、該第２のバッファへのバッファリングを継続しながら光ピックアップによって信号の書き込みを開始させ、
前記第１のバッファから第２のバッファへの信号の転送と、光ピックアップによる信号の書き込みを略同時に終了させることにより、書き込み時間の短縮を図ったことを特徴とする光ディスクレコーダ。
Ｎ＝（Ａ／Ｍ）×｛（Ｒｗ−Ｒｔ）／Ｒｗ｝                              （１）
Ｍ’＝Ｍ                                                              （２）
Ｍ’＝｛Ａ／（Ｎ＋１）｝×｛（Ｒｗ−Ｒｔ）／Ｒｗ｝                    （３）
（但し、Ｎは書き込み回数、Ａは検出されたデータサイズ、Ｒｔは第１のバッファから第２のバッファへの信号転送速度、Ｒｗは光ピックアップによる光ディスクへの信号書き込み速度、Ｍは第２のバッファにおける当初の蓄積閾値、Ｍ’は第２のバッファにおける最適蓄積閾値とする）
【請求項２】
テレビジョン放送信号を受信するチューナと、このチューナが受信した放送信号を圧縮符号化するエンコーダと、このエンコーダによって圧縮符号化された信号を一時的に蓄積する第１のバッファと、この第１のバッファに蓄積された信号の転送を受け、転送された信号を蓄積する第２のバッファと、光ディスクにレーザ光を照射することにより、前記第２のバッファに蓄積された信号を光ディスクに書き込む光ピックアップと、上記各部を制御する制御手段とを備えた光ディスクレコーダにおいて、
前記制御手段は、
録画時に、まず前記第１のバッファへの信号の蓄積を開始すると共に、
装填された光ディスクにおける連続して信号の書き込みが可能な領域のデータサイズ又は番組の録画に必要なデータサイズと、前記第１のバッファから前記第２のバッファへの信号転送速度と、前記光ピックアップによる光ディスクへの信号書き込み速度とから、該第２のバッファの最適蓄積閾値を算出し、
前記第1のバッファに蓄積されている信号を前記第２のバッファに転送して、該第２のバッファへの信号の蓄積を開始し、
前記第２のバッファに蓄積されたバッファ量が前記最適蓄積閾値を超えたとき、該第２のバッファへのバッファリングを継続しながら光ピックアップによって信号の書き込みを開始させ、
前記第１のバッファから第２のバッファへの信号の転送と、光ピックアップによる信号の書き込みを略同時に終了させることにより、書き込み時間の短縮を図ったことを特徴とする光ディスクレコーダ。
【発明の詳細な説明】
【技術分野】
【０００１】
本発明は、テレビジョン放送信号を光ディスクに記録する光ディスクレコーダに関するものである。
【背景技術】
【０００２】
従来から、ＤＶＤ（Digital Versatile Disk)等の光ディスクにテレビジョン放送信号を記録する光ディスクレコーダが実用化されている。このような、光ディスクレコーダは、通常、バックエンドバッファ（以下、ＢＥバッファとする）と、フロントエンドバッファ（以下、ＦＥバッファとする）を備え、チューナによって受信した放送信号を、ＢＥバッファ及びＦＥバッファによって順次緩衝させながら、適宜光ピックアップに出力するように構成されている。
【０００３】
光ディスクレコーダでは、放送信号はビデオレコーディング規格に従って記録される。光ディスクレコーダによって記録可能な光ディスクには、信号の書き換えが可能なものがあり、このような光ディスクで信号の書き換えを頻繁に行うと、記録領域及び未記録領域が断片化されることがある。
【０００４】
図４は、このような断片化された光ディスクの一例として、既記録領域を挟んで、未記録領域（Ａ）及び未記録領域（Ｂ）が存在する光ディスクを模式的に示している。また、図５は、図４に示した光ディスクの未記録領域（Ａ）及び未記録領域（Ｂ）に連続して録画する際のＦＥバッファのバッファ蓄積量と、ＢＥバッファからＦＥバッファへの転送レートと、光ピックアップによる書き込みレートの時間的変化を示している。光ディスクレコーダのＢＥバッファとＦＥバッファとの間では、専ら圧縮符号化されたデータが転送されるため、様々な形式のデータの転送が想定されるいわゆるパーソナルコンピュータ等と比べれば、その転送レートは低く抑えられている。
【０００５】
録画開始当初において、ＢＥバッファに蓄積されている信号は、転送レートＲｔでＦＥバッファに転送される。ＦＥバッファには、信号の書き込み中に光ディスクレコーダに加えられた振動などによりトラッキングエラー又はフォーカシングエラーが発生したとき、再度書き込みを行いリカバリできるようにバッファ容量の上限値より小さな閾値Ｍが設定されている。時間Ｔ１１において、ＢＥバッファからの信号の転送によりＦＥバッファの蓄積量が閾値Ｍに達したとき、ＦＥバッファに蓄積された信号は、光ピックアップに出力され、書き込みが開始される。このとき、ＢＥバッファからＦＥバッファへの信号の転送は引き続き継続されているが、光ピックアップによる書き込みレートＲｗは転送レートＲｔより高いため、ＦＥバッファの蓄積量は徐々に減少し、時間Ｔ１２においてゼロとなる。その後、再びバッファ蓄積量が閾値Ｍに達するまで、光ピックアップによる書き込みは中断される。このように、光ディスクレコーダでは、放送信号をＢＥバッファ及びＦＥバッファによって緩衝させながら、複数回に分けて光ディスクへの書き込みを行っている。
【０００６】
このように録画が進行し、時間Ｔ１３において未記録領域（Ａ）に記録されるべき信号がＢＥバッファからＦＥバッファに全て転送されると、このＦＥバッファへの信号の転送は一旦終了する。このときも光ピックアップは書き込みレートＲｗで信号の書き込みを継続しているため（図５（ｃ）参照）、ＦＥバッファの蓄積量は急激に減少し、時間Ｔ１４でゼロになり未記録領域（Ａ）への録画が終了する。この後、光ピックアップは未記録領域（Ｂ）に相当する位置までシークを行った後、未記録領域（Ｂ）への記録を開始する。
【０００７】
なお、記録又は再生する情報の単位時間当たりの情報量が所定の閾値より小さいときに、光ディスクを断続的に回転駆動するようにした光ディスク装置が知られている（例えば、特許文献１参照）。また、記録再生動作の種類に応じて定められた優先順位に基き特定の動作を選び、次に行う動作を決定するようにした光ディスク装置が知られている（例えば、特許文献２参照）。また、通常記録時にはシーク速度を低速に設定し、バッファの蓄積量が一定量を超えるとシーク速度を高速に切り替えるようにした光ディスク装置が知られている（例えば、特許文献３参照）。
【特許文献１】特開２００３−２１７２２７号公報
【特許文献２】特開２００２−２０３３６３号公報
【特許文献３】特開２００３−２８１７４５号公報
【発明の開示】
【発明が解決しようとする課題】
【０００８】
しかしながら、上述した従来の光ディスクレコーダにおいては、時間Ｔ１３から時間Ｔ１４において、光ピックアップによる書き込みのみが行われている時間ΔＴが存在するので、信号の転送が終了した時間Ｔ１３から間髪入れずシーク動作に移行することができず、録画に時間が掛かる。従って、時間Ｔ１３から未記録領域（Ｂ）への書き込みのために信号の転送が再開される時間Ｔ１５に至るまでに受信した放送信号をＢＥバッファに蓄積しなければならず、ＢＥバッファが溢れて画像及び音声が途切れる虞がある。また、図４及び図５では、未記録領域（Ａ）に続いて未記録領域（Ｂ）に録画する場合を示したが、未記録領域（Ａ）に記録しながら、既に記録されている既記録領域の信号を再生する、いわゆる「追っかけ再生」を行う場合も同様であり、信号の転送が終了した時間Ｔ１３から間髪入れずシークを行い再生動作に移行することができない。
【０００９】
上記課題は、上述した特許文献１乃至特許文献３に示されたいずれの装置によっても解決することができない。
【００１０】
本発明は、上記課題を解決するためになされたものであり、ＢＥバッファからＦＥバッファへの信号の転送と、光ピックアップによる信号の書き込みを略同時に終了させることにより、書き込み時間の短縮を図ることができる光ディスクレコーダを提供することを目的とする。
【課題を解決するための手段】
【００１１】
上記目的を達成するために請求項１の発明は、テレビジョン放送信号を受信するチューナと、このチューナが受信した放送信号を圧縮符号化するエンコーダと、このエンコーダによって圧縮符号化された信号を一時的に蓄積する第１のバッファと、この第１のバッファに蓄積された信号の転送を受け、転送された信号を蓄積する第２のバッファと、光ディスクにレーザ光を照射することにより、第２のバッファに蓄積された信号を光ディスクに書き込む光ピックアップと、上記各部を制御する制御手段とを備えた光ディスクレコーダにおいて、制御手段は、録画時に、まず第１のバッファへの信号の蓄積を開始すると共に、装填された光ディスク上で連続して信号の書き込みが可能な領域のデータサイズを検出し、以下に示す式（１）で求めた書き込み回数の小数部分が所定の値より小さいとき、式（２）を用いて第２のバッファの最適蓄積閾値を算出し、式（１）で求めた書き込み回数の小数部分が所定の値以上であるとき、式（３）を用いて第２のバッファの最適蓄積閾値を算出し、第1のバッファに蓄積されている信号を第２のバッファに転送して、該第２のバッファへの信号の蓄積を開始し、第２のバッファに蓄積されたバッファ量が最適蓄積閾値を超えたとき、該第２のバッファへのバッファリングを継続しながら光ピックアップによって信号の書き込みを開始させ、第１のバッファから第２のバッファへの信号の転送と、光ピックアップによる信号の書き込みを略同時に終了させることにより、書き込み時間の短縮を図ったものである。
Ｎ＝（Ａ／Ｍ）×｛（Ｒｗ−Ｒｔ）／Ｒｗ｝                              （１）
Ｍ’＝Ｍ                                                              （２）
Ｍ’＝｛Ａ／（Ｎ＋１）｝×｛（Ｒｗ−Ｒｔ）／Ｒｗ｝                    （３）
（但し、Ｎは書き込み回数、Ａは検出されたデータサイズ、Ｒｔは第１のバッファから第２のバッファへの信号転送速度、Ｒｗは光ピックアップによる光ディスクへの信号書き込み速度、Ｍは第２のバッファにおける当初の蓄積閾値、Ｍ’は第２のバッファにおける最適蓄積閾値とする）
【００１２】
請求項２の発明は、テレビジョン放送信号を受信するチューナと、このチューナが受信した放送信号を圧縮符号化するエンコーダと、このエンコーダによって圧縮符号化された信号を一時的に蓄積する第１のバッファと、この第１のバッファに蓄積された信号の転送を受け、転送された信号を蓄積する第２のバッファと、光ディスクにレーザ光を照射することにより、第２のバッファに蓄積された信号を光ディスクに書き込む光ピックアップと、上記各部を制御する制御手段とを備えた光ディスクレコーダにおいて、制御手段は、録画時に、まず第１のバッファへの信号の蓄積を開始すると共に、装填された光ディスクにおける連続して信号の書き込みが可能な領域のデータサイズ又は番組の録画に必要なデータサイズと、第１のバッファから第２のバッファへの信号転送速度と、光ピックアップによる光ディスクへの信号書き込み速度とから、該第２のバッファの最適蓄積閾値を算出し、第1のバッファに蓄積されている信号を第２のバッファに転送して、該第２のバッファへの信号の蓄積を開始し、第２のバッファに蓄積されたバッファ量が最適蓄積閾値を超えたとき、該第２のバッファへのバッファリングを継続しながら光ピックアップによって信号の書き込みを開始させ、第１のバッファから第２のバッファへの信号の転送と、光ピックアップによる信号の書き込みを略同時に終了させることにより、書き込み時間の短縮を図ったものである。
【発明の効果】
【００１３】
請求項１の発明によれば、第１のバッファから第２のバッファへの信号の転送と、光ピックアップによる信号の書き込みを略同時に終了させることができるので、断片化された複数の未記録領域に信号を連続して書き込むときの書き込み時間の短縮を図ることができる。これにより、第１のバッファのバッファ溢れを抑制することができる。また、いわゆる「追っかけ再生」等の同時録画再生を行ったときの性能が向上する。さらに、式（１）乃至式（３）を用いることにより、データサイズ、信号伝送速度及び信号書き込み速度に応じた第２のバッファの最適蓄積閾値を算出できるので、光ピックアップによる信号の書き込みが終了するタイミングを第１のバッファから第２のバッファへの信号の転送終了時に一層近づけることが可能になる。
【００１４】
請求項２の発明によれば、第１のバッファから第２のバッファへの信号の転送と、光ピックアップによる信号の書き込みを略同時に終了させることができるので、断片化された複数の未記録領域に信号を連続して書き込むときの書き込み時間の短縮を図ることができる。これにより、第１のバッファのバッファ溢れを抑制することができる。また、いわゆる「追っかけ再生」等の同時録画再生を行ったときの性能が向上する。
【発明を実施するための最良の形態】
【００１５】
本発明を実施するための最良の実施形態による光ディスクレコーダについて図面を参照して説明する。図１は光ディスクレコーダの一例として、ＤＶＤ（Digital Versatile Disk)にテレビジョン放送信号を記録するＤＶＤレコーダの構成を示している。光ディスクレコーダは、レコーダ全体としての処理を行うバックエンド１と、光ディスクにデータの書き込み又は読み出しを行うためのフロントエンド２とを有している。
【００１６】
バックエンド１は、アンテナ３０を介してテレビジョン放送信号を受信するチューナ３と、チューナ３が受信した放送信号をＭＰＥＧ（Moving Picture Experts Group）規格に準拠する信号に圧縮符号化するＭＰＥＧエンコーダ５と、ＭＰＥＧエンコーダ５によって圧縮符号化された信号を一時的に蓄積するＢＥバッファ（第１のバッファ）６と、ＢＥバッファ６に蓄積された信号を複合するＭＰＥＧデコーダ７と、ＭＰＥＧデコーダ７によって複合された信号をモニタ装置２０が出力可能なアナログ信号に変換するＤ／Ａコンバータ８と、バックエンド１の各部の制御を司る制御部（制御手段）９と、ＤＶＤレコーダに各種の指令を入力するためのリモコン装置（図示せず）と、タイマ録画のための処理を行うタイマ部（図示せず）等によって構成されている。チューナ３は、デジタル放送に対応するものであってもアナログ放送に対応するものであってもよい。チューナ３がアナログ放送に対応するものである場合には、チューナ３が受信したアナログ信号をデジタル信号に変換するためのＡ／Ｄコンバータが別途必要になる。
【００１７】
一方、フロントエンド２は、ＢＥバッファ６との間で信号を受け渡しするＦＥバッファ（第２のバッファ）１１と、ＦＥバッファ１１に蓄積された信号（８ビット信号）を光ディスクへの書き込みに適した１４ビット信号に変調するＥＦＭ（Eight Fourteen Modulation）モジュレータ１２と、光ディスクを回転駆動するためのスピンドルモータ１３と、スピンドルモータ１３によって回転駆動されている光ディスクにレーザ光を照射することにより、信号の書き込み又は読み出しを行う光ピックアップ１４と、光ピックアップ１４が読み出した１４ビット信号を８ビット信号に変調するＥＦＭデモジュレータ１５と、制御部９から出力される制御信号を受け、フロントエンド２の各部の制御を司る制御部（制御手段）１６等によって構成されている。
【００１８】
バックエンド１の制御部９とフロントエンド２の制御部１６とは、互いに各種の制御信号を送受信可能となるように接続されており、ＢＥバッファ６とＦＥバッファ１１とは、互いにＭＰＥＧエンコード信号を送受信可能となるように接続されている。
【００１９】
図２は、図４に示した断片化された光ディスクの未記録領域（Ａ）及び未記録領域（Ｂ）に連続して録画する際のＦＥバッファ１１のバッファ蓄積量と、ＢＥバッファ６からＦＥバッファ１１への転送レートと、光ピックアップ１４による書き込みレートの時間的変化を示している。
【００２０】
録画開始当初、ＢＥバッファ６からＦＥバッファ１１に対して転送レートＲｔで信号が転送される。図５を用いて示した従来の光ディスクレコーダと同様に、ＦＥバッファ１１には、信号の書き込み中にＤＶＤレコーダに加えられた振動などによりトラッキングエラー又はフォーカシングエラーが発生したとき、再度書き込みを行いリカバリできるようにバッファ容量の上限値より小さな蓄積閾値Ｍが当初設定されている。図２（ａ）において、一点鎖線Ｌ０は、蓄積閾値Ｍを用いて光ピックアップによる書き込みタイミングの制御を行った場合のバッファ蓄積量を示し、実線Ｌ１は、後述する最適閾値Ｍ’を用いて光ピックアップによる書き込みタイミングの制御を行った場合のバッファ蓄積量を示している。
【００２１】
本実施形態では、ＢＥバッファ６からＦＥバッファ１１への信号の転送と、光ピックアップ１４による信号の書き込みを略同時に終了させることにより、具体的には、ＢＥバッファ６からＦＥバッファ１１への信号の転送が終了する時間Ｔ３から光ピックアップ１４による信号の書き込みが終了する時間Ｔ４に至るまでの時間ΔＴをゼロに近づけることにより、トータルでの書き込み時間の短縮を図っている。時間ΔＴをゼロに近づけることは、バッファの蓄積閾値を当初の蓄積閾値Ｍより小さい最適蓄積閾値Ｍ’に変更することにより実現される。すなわち、ＢＥバッファ６からの信号の転送によりＦＥバッファ１１の蓄積量が最適閾値Ｍ’に達したとき（時間Ｔ１）、ＦＥバッファ１１に蓄積された信号は、ＥＦＭモジュレータ１２を介して光ピックアップ１４に出力され、書き込みが開始される。このとき、ＢＥバッファ６からＦＥバッファ１１への信号の転送は引き続き継続されているが、光ピックアップ１４による書き込みレートＲｗは転送レートＲｔより高いため、ＦＥバッファ１１の蓄積量は徐々に低下し、時間Ｔ２においてゼロとなる。以後、同様にＦＥバッファ１１へのバッファリングを継続しながら、その蓄積量が最適閾値Ｍ’に達するのを待って書き込みを複数回行えば、ＢＥバッファ６からＦＥバッファ１１への信号の転送が終了する時間Ｔ３と、光ピックアップ１４による信号の書き込みが終了する時間Ｔ４とを略同時とすることができる。その後、光ピックアップ１４をフィードさせて、未記録領域（Ｂ）をシークし、時間Ｔ５において未記録領域（Ｂ）へ書き込むためのデータの蓄積を再開する。
【００２２】
書き込み時間を短縮するにあたって、上述した時間ΔＴ（＝Ｔ４−Ｔ３）は限りなくゼロに近い方が望ましいが、転送レートＲｔ及び書き込みレートＲｗは厳密には一定ではないため、ΔＴを常にゼロにするのは困難である。そこで本実施形態では、時間ΔＴが所定の時間より短くなるように最適閾値Ｍ’を設定するようにしている。
【００２３】
次に、最適閾値Ｍ’の算出手順について説明する。この最適閾値Ｍ’の算出は、制御部９又は制御部１６によってなされる。図２において、１周期の書き込み時間は、Ｍ／（Ｒｗ−Ｒｔ）であるから、光ピックアップ１４によって１周期の間に書き込まれるデータ量はＲｗ×Ｍ／（Ｒｗ−Ｒｔ）で求められる。未記録領域（Ａ）のデータサイズをＡとすると、書き込み回数Ｎは、次式（１）で算出される。
Ｎ＝（Ａ／Ｍ）×｛（Ｒｗ−Ｒｔ）／Ｒｗ｝                              （１）
ここで、式（１）の右辺が整数で割り切れる場合又は右辺の小数部分が所定の値より小さい場合は、時間ΔＴが所定の時間より短いと考えることができるから、最適閾値Ｍ’は次式（２）で算出される。
Ｍ’＝Ｍ                                                              （２）
一方、式（１）の右辺の小数部分が所定の値以上である場合は、最適閾値Ｍ’は次式（３）で算出される。
Ｍ’＝｛Ａ／（Ｎ＋１）｝×｛（Ｒｗ−Ｒｔ）／Ｒｗ｝                    （３）
【００２４】
以上、図２を参照して、断片化された光ディスクの未記録領域（Ａ）及び未記録領域（Ｂ）に連続して録画する場合について説明したが、光ディスクの未記録領域（Ａ）が番組の録画に必要なデータサイズより大きい場合も同様である。この場合は、上記未記録領域（Ａ）のデータサイズＡの替わりに番組の録画に必要なデータサイズを代入すれば最適閾値Ｍ’を算出することができる。
【００２５】
次に、未記録領域（Ａ），（Ｂ）に番組を録画する際の光ディスクレコーダの動作を、図３を参照して説明する。録画ボタン等がオンされると、光ディスクレコーダは、ＢＥバッファ６へのデータの蓄積を開始させる（＃１）。ここでＢＥバッファ６に蓄積されるデータとは、チューナ３によって受信され、エンコーダ４によって圧縮符号化された番組の放送信号である。そして、光ディスクレコーダは、光ピックアップ１４をフィードしながら光ディスク上の連続して書き込みが可能な領域（未記録領域（Ａ））のデータサイズを求め（＃２）、上述した式（１）乃至式（３）を用いることによって最適蓄積閾値Ｍ’を算出する（＃３）。その後、光ディスクレコーダは、ＢＥバッファ６に蓄積させたデータをＦＥバッファ１１に転送し、ＦＥバッファ１１へのデータの蓄積を開始する（＃４）。ＦＥバッファ１１のデータ蓄積量が、最適蓄積閾値Ｍ’を超えると（＃５においてＹＥＳ）、光ディスクレコーダは、光ピックアップ１４を駆動して光ディスクにデータを書き込む（＃６）。これに伴い、ＦＥバッファ１１のデータ蓄積量が減少する。そして、光ディスクレコーダは、ＦＥバッファ１１のデータ蓄積量がゼロになるまで、データの書き込みを繰り返し（＃７においてＮＯ）、データ蓄積量がゼロになると（＃７においてＹＥＳ）、＃８に移行する。ここで、録画すべき番組が終了する等の理由によってＢＥバッファ６のデータ蓄積量がゼロになると（＃８においてＹＥＳ）、光ディスクレコーダは処理を終了する。番組が終了しない場合には（＃８においてＮＯ）、＃９に移行し、未記録領域（Ａ）への書き込みが全て終了するまで（＃９においてＮＯ）、光ディスクレコーダは＃４乃至＃８の動作を繰り返す。未記録領域（Ａ）への書き込みが全て終了すると（＃９においてＹＥＳ）、光ディスクレコーダは＃１０に移行し、別の書き込み領域（未記録領域（Ｂ））を検索する。別の書き込み領域が存在すれば（＃９においてＹＥＳ）、光ディスクレコーダは＃２に戻り、存在しなければ（＃９においてＮＯ）、処理を終了する。
【００２６】
以上のように、本実施形態の光ディスクレコーダによれば、ＢＥバッファ６からＦＥバッファ１１への信号の転送と、光ピックアップ１４による信号の書き込みを略同時に終了させることができるので、断片化された複数の未記録領域に信号を連続して書き込むときの書き込み時間の短縮を図ることができる。これにより、ＢＥバッファ６のバッファ溢れを抑制することができる。また、同時録画再生を行ったときの再生が迅速に行え、装置の性能が向上する。さらに、式（１）乃至式（３）を用いることにより、データサイズ、信号伝送速度及び信号書き込み速度に応じたＦＥバッファ１１の最適蓄積閾値Ｍ’を算出できるので、光ピックアップ１４による信号の書き込みが終了する時間Ｔ４をＢＥバッファ６からＦＥバッファ１１への信号の転送が終了する時間Ｔ３に一層近づけることが可能になる。
【００２７】
なお、本発明は上記実施形態の構成に限られることなく種々の変形が可能である。例えば、最適蓄積閾値Ｍ’は、式（１）乃至式（３）によって算出されるものに限られることなく、データサイズＡ、信号転送速度Ｒｔ及び信号書き込み速度Ｒｗ等に基く他の算出手法によるものであっても構わない。また、タイマ録画等で、番組の録画に必要な概略のデータサイズが予め判っており、このデータサイズがデータサイズＡより小さい場合は、これをデータサイズＡの替わりに用いて最適蓄積閾値Ｍ’を算出してもよい。さらに、エンコーダ５、デコーダ７は、ＭＰＥＧ規格に限られることなく、他の規格に準拠するものであっても構わない。
【図面の簡単な説明】
【００２８】
【図１】本発明の一実施形態による光ディスクレコーダのブロック図。
【図２】（ａ）は同レコーダの録画時におけるフロントエンドバッファの蓄積量、（ｂ）はバックエンドバッファからフロントエンドバッファへのデータ転送レート、（ｃ）は光ピックアップによる書き込みレートの時間的変化をそれぞれ示した図。
【図３】同レコーダの録画時の動作を示したフローチャート。
【図４】未記録領域が断片化された光ディスクを模式的に示した図。
【図５】従来の光ディスクレコーダの録画時におけるフロントエンドバッファの蓄積量、（ｂ）はバックエンドバッファからフロントエンドバッファへのデータ転送レート、（ｃ）は光ピックアップによる書き込みレートの時間的変化をそれぞれ示した図。
【符号の説明】
【００２９】
３    チューナ
５    エンコーダ
６    バックエンドバッファ（第１のバッファ）
９    制御部（制御手段）
１１    フロントエンドバッファ（第２のバッファ）
１４    光ピックアップ
１６    制御部（制御手段）
【図１】
2005302179.tif 000003
【図２】
2005302179.tif 000004
【図３】
2005302179.tif 000005
【図４】
2005302179.tif 000006
【図５】
2005302179.tif 000007